(57)【要約】【課題】  プリンタドライバで対応することができる印刷装置が制限されるとともに、印刷装置及びホスト装置と接続するためには異なるインターフェースを備えなければならず、構成が複雑で、ホスト装置との接続の利便性も悪い。【解決手段】  計測器１は、計測部１１と、制御部１２と、インターフェース部１３とを含み、インターフェース部１３には、ハード的にはＵＳＢデバイス１４を備え、ソフト的にはカメラダイレクトインターフェース１５を備えることで、カメラダイレクトに対応するプリンタ３を接続することにより、計測部１１の計測データに基づいて制御部１２が作成した印刷データをダイレクトにプリンタ３へ出力して印刷することができ、プリンタドライバが不要になるとともに、１つのＵＳＢデバイスインターフェースを備えるだけでプリンタ及びホスト装置との接続が可能になる。【選択図】  図１
2005119156.tif 000002
【特許請求の範囲】
【請求項１】
計測対象を計測する計測手段と、この計測手段で得られた計測情報に基づいて印刷情報を作成する印刷情報作成手段と、この印刷情報作成手段で作成された印刷情報を外部に出力するためのカメラダイレクトインターフェースを含むインターフェース手段とを備えていることを特徴とする計測器。
【請求項２】
計測対象を計測する計測手段を含む計測器の計測情報を印刷手段に出力するためのインターフェース装置であって、このインターフェース装置は前記計測器の計測情報に基づいて印刷情報を作成する印刷情報作成手段と、この印刷情報作成手段で作成された印刷情報を外部に出力するためのカメラダイレクトインターフェースを含むインターフェース手段とを備えていることを特徴とする計測器用インターフェース装置。
【請求項３】
計測対象を計測する計測手段と、前記計測器の計測情報に基づいて印刷情報を作成する印刷情報作成手段とを含む計測器の計測情報を印刷手段に出力するためのインターフェース装置であって、このインターフェース装置は前記印刷情報作成手段で作成された印刷情報を外部に出力するためのカメラダイレクトインターフェースを含むインターフェース手段とを備えていることを特徴とする計測器用インターフェース装置。
【発明の詳細な説明】
【技術分野】
【０００１】
本発明は計測器及び計測器用インターフェース装置に関し、特に計測器の計測情報をダイレクトに印刷装置で印刷することができる計測器、及び、計測器の計測情報をダイレクトに印刷装置で印刷することができるようにするための計測器用インターフェース装置に関する。
【背景技術】
【０００２】
計測器は被計測対象の変量を計測（測定）するものであり、人の状態、例えば、体重、体温、血圧などを計測するもの、電気信号などの電気的変量を計測するもの、厚み、表面粗さ、角度、距離、物理的変量を計測するもの、微粒子を計測するもの、光学的変量を計測するものなど多種多様なものが知られている。
【０００３】
ところで、従来の計測器としては、計測器を外部から制御し、あるいは計測した結果（計測情報）を表示出力するためのパーソナルコンピュータ（ＰＣ）と接続できるようにし、あるいは、外部の印刷装置（プリンタ）で印刷するためのインターフェースを備えるようにしている。
【特許文献１】特開平７−２３６６２２号
【０００４】
ここで、従来の一般的な計測器の概要について図４に示す機能ブロック図を参照して説明する。
この計測器１００は、被計測対象の変量を計測するための計測部１０１と、計測器全体の制御を司るＣＰＵなどで構成される制御部１０２と、インターフェース部１０３とを備えている。
【０００５】
インターフェース部１０３には、外部のパーソナルコンピュータなどのホスト装置１０４と接続するために、ハード的にＵＳＢデバイス（Ｂコネクタ）或いはＧＰ−ＩＢ、ＲＳ２３２Ｃなどのコネクタ及びそのためのソフトを含むＰＣ接続用インターフェース部１０３Ｂと、外部のプリンタ（印刷装置）１０５に接続するためのＵＳＢホスト（Ａコネクタ）あるいはセントロニクスのコネクタ及びそのソフトを含むプリンタ接続用インターフェース部１０３Ａとで構成されている。
【０００６】
そして、計測部１０１からの計測データに基づいて制御部１０２が作成した印刷データを、プリンタ接続用インターフェース部１０３Ａを介して外部のプリンタ１０５に転送するために、ソフトとしてのプリンタドライバ１０６を含んでいる。
【０００７】
このような計測器１００を使用する場合、図５に示すように、ホスト装置１０４から必要なデータを取り込み、あるいは、ホスト１０４に対して必要なデータを出力するときには、例えば、ホスト１０４側がＵＳＢホスト（Ａコネクタ）１０４Ａとなり、計測器１００側がＵＳＢデバイス（Ｂコネクタ）１０３Ｂとなるので、これに対応するＵＳＢケーブルで両者を接続してデータの転送を行うことになる。
【０００８】
また、計測器１００からプリンタ１０５に対して計測データに対応する印刷データを出力してプリントアウトするときには、プリンタ１０５側がＵＳＢデバイス（Ｂコネクタ）１０５Ｂとなるため、計測器１００側のＵＳＢホスト（Ａコネクタ）１０３Ａを使用して、これに対応するＵＳＢケーブルで両者を接続して印刷データの転送を行ってプリントアウトを行うことになる。
【発明の開示】
【発明が解決しようとする課題】
【０００９】
しかしながら、上述した従来の計測器にあっては、プリンタで計測結果を印刷するためには、当該プリンタに対応するプリンタドライバを備えなければならない。ところが、個々のプリンタによってプリンタドライバは異なるため、特定のプリンタでしか計測結果を印刷出力することができず、ユーザーにとっては使用できるプリンタが限られるという課題がある。
【００１０】
この場合、予め計測器に複数のプリンタに対応する複数のプリンタドライバを搭載することも考えられるが、現流のすべてのプリンタに対応するプリンタドライバを搭載することは不可能であり、仮に、かなりの数のプリンタドライバを搭載できたとしても、その分、不必要にメモリが増加してコストが高くなるとともに、将来的にプリンタが変更された場合には対応することができないという課題もある。
【００１１】
また、上述した従来の計測器にあっては、ＵＳＢケーブルでホスト装置或いはプリンタと接続する場合、プリンタに対してはＵＳＢホスト機能を持つとともに、ホスト装置（ＰＣなど）に対してはＵＳＢデバイス機能を持たなければならず、物理的のインターフェースとしてもＡコネクタ（ＵＳＢホスト）とＢコネクタ（ＵＳＢデバイス）の両者を備えなければならないというように、複数のインターフェースを搭載しなければならず、大型化するという課題がある。
【００１２】
本発明は上記の課題に鑑みてなされたものであり、プリンタドライバを不要とするとともに構成を簡単にした計測器及びプリンタドライバが不要な計測器用インターフェース装置を提供することを目的とする。
【課題を解決するための手段】
【００１３】
本発明に係る計測器は、計測対象を計測する計測手段と、この計測手段で得られた計測情報に基づいて印刷情報を作成する印刷情報作成手段と、この印刷情報作成手段で作成された印刷情報を外部に出力するためのカメラダイレクトインターフェースを含むインターフェース手段とを備えている構成とした。
【００１４】
本発明に係る計測器用インターフェース装置は、計測対象を計測する計測手段を含む計測器の計測情報を印刷手段に出力するためのインターフェース装置であって、計測器の計測情報に基づいて印刷情報を作成する印刷情報作成手段と、この印刷情報作成手段で作成された印刷情報を外部に出力するためのカメラダイレクトインターフェースを含むインターフェース手段とを備えている構成とした。
【００１５】
本発明に係る計測器用インターフェース装置は、計測対象を計測する計測手段と、計測器の計測情報に基づいて印刷情報を作成する印刷情報作成手段とを含む計測器の計測情報を印刷手段に出力するためのインターフェース装置であって、印刷情報作成手段で作成された印刷情報を外部に出力するためのカメラダイレクトインターフェースを含むインターフェース手段とを備えている構成とした。
【発明の効果】
【００１６】
本発明に係る計測器によれば、印刷情報を外部に出力するためのカメラダイレクトインターフェースを含むインターフェース手段を備えているので、ダイレクトに印刷装置に印刷情報を出力することができて、プリンタドライバが不要になり、種々の印刷装置を使用することができるとともに、将来的な印刷装置の変更にも対応することができる。また、印刷装置及びホスト装置のいずれに対しても例えばＵＳＢデバイスとすることができて、インターフェースの構成が簡単になり、小型化を図れ、ホスト装置との接続の利便性も向上する。
【００１７】
本発明に係る計測器用インターフェース装置によれば、印刷情報を外部に出力するためのカメラダイレクトインターフェースを含むインターフェース手段を備えているので、ダイレクトに印刷装置に印刷情報を出力することができて、プリンタドライバが不要になり、種々の印刷装置を使用することができるとともに、将来的な印刷装置の変更にも対応することができる。
【発明を実施するための最良の形態】
【００１８】
以下、本発明の実施の形態について添付図面をも参照して説明する。図１は本発明に係る計測器の一実施形態を示す機能ブロック図である。
この計測器１は、被計測対象の変量を計測するための計測手段である計測部１１と、計測器全体の制御を司るＣＰＵなどで構成される制御部１２と、本発明に係るインターフェース手段を含むインターフェース部１３とを備えている。制御部１２は、計測部１１を制御するとともに、計測部１１からの計測情報（計測データ）に基づいて印刷情報（印刷データ）を作成する印刷情報作成手段を兼ねている。
【００１９】
インターフェース部１３には、外部のＰＣなどのホスト装置２及び印刷装置（プリンタ）３と接続するために、ハード的にはＵＳＢデバイス（Ｂコネクタ）１４を備え、ソフト的にはカメラダイレクトインターフェース１５、及び通常のＵＳＢ処理を行うインターフェース１６を備えている。カメラダイレクトインターフェース１５は、通常のＵＳＢ処理１５Ａ、ＰＴＰ１５Ｂ及びＤＰＳ１５Ｃで構成され、プロトコルは規格化されたピクトブリッジ（ＤＰＳ）を使用するものである。
【００２０】
このように構成した計測器１を使用する場合、計測部１１で得られた計測結果をプリンタ３で印刷するときには、図２（Ａ）に示すように、カメラダイレクトに対応したプリンタ３を使用することにより、このプリンタ３はＵＳＢデバイス（Ｂコネクタ）３ＢとともにＵＳＢホスト（Ａコネクタ）３Ａを有しているので、計測器１のＵＳＢデバイス（Ｂコネクタ）１４と、適合するＵＳＢケーブルで接続する。
【００２１】
このとき、インターフェース部１３にはカメラダイレクトインターフェース１５を備えているので、このカメラダイレクトインターフェース１５によって制御部１２が作成した計測データに対応する印刷データ（例えばＪＰＥＧデータ）をダイレクトにプリンタ３に転送して印刷することができる。
【００２２】
このように、計測器にカメラダイレクトインターフェースを備えることによって、印刷装置に応じたプリンタドライバを備える必要がなくなって、カメラダイレクトに対応する印刷装置であれば、どのようなプリンタであっても計測器の計測結果を出力するための印刷装置として使用することができる。この場合、印刷装置の仕様変更が生じても、カメラダイレクトに対応する印刷装置であれば使用することができ、将来的な印刷装置の変更にも対応することができる。
【００２３】
また、この計測器１をホスト装置２と接続するには、図２（Ｂ）に示すように、計測器１がＵＳＢデバイス（Ｂコネクタ）１４であるので、ホスト装置２側のＵＳＢホスト（Ａコネクタ）２Ａと適合するＵＳＢケーブルで接続することができる。そして、ホスト装置２との間で、インターフェース部１３の通常のＵＳＢ処理を行うインターフェース１６を介してデータの送受を行うことができる。
【００２４】
このように、計測器に印刷装置あるいはホスト装置を接続する場合でも、計測器の物理的なインターフェースはＵＳＢデバイス（Ｂコネクタ）とすることができ、印刷装置或いはホスト装置と接続するために、物理的に異なるインターフェースを備える必要がなくなり、構成が簡単になり、小型化を図れ、ホスト装置との接続も容易に行うことができるようになる。
【００２５】
次に、本発明に係る計測器用インターフェース装置の一実施形態について図３の機能ブロック図を参照して説明する。
この計測器用インターフェース装置２３は計測器２１に対して外付け（アダプタタイプ）としたものである。すなわち、ここでは、計測器２１は、被計測対象の変量を計測するための計測手段である計測部１１と、計測部１１の計測データに基づいて印刷データを作成する印刷情報作成手段を兼ねた計測器全体の制御を司るＣＰＵなどで構成される制御部１２とで構成される。
【００２６】
そして、計測器用インターフェース装置２３は、前記計測器の実施形態で説明したインターフェース部１３と同様に、印刷装置（プリンタ）３と接続するために、ハード的にＵＳＢデバイス（Ｂコネクタ）１４を、ソフト的にカメラダイレクトインターフェース１５を備えるとともに、ソフト的な処理に必要な制御部２７をも備えている。カメラダイレクトインターフェース１５は、前述したように、ＤＰＳ１５Ａ、ＰＴＰ１５Ｂ及び通常のＵＳＢ処理１５Ｃで構成され、プロトコルはピクトブリッジ（ＤＰＳ）を使用するものである。
【００２７】
この場合、計測器２１と計測器用インターフェース装置２３との接続方法は特に限定されるものではなく、計測器２１と計測器用インターフェース装置２３との間で情報の転送を行えれば良い。
【００２８】
このように構成した計測器用インターフェース装置２３を使用する場合には、この計測器用インターフェース装置２３と計測器２１とを接続する。そして、計測器２１で得られた計測結果をプリンタ３で印刷するときには、カメラダイレクトに対応したプリンタ３を使用することで、このプリンタ３はＵＳＢホスト（Ａコネクタ）を有するので、計測器用インターフェース装置２３はＵＳＢデバイス（Ｂコネクタ）のままでよく、適合するＵＳＢケーブルで両者を接続する。
【００２９】
このとき、計測器用インターフェース装置２３にはカメラダイレクトインターフェース１５を備えているので、このカメラダイレクトインターフェース１５によって計測器２１の制御部１２から送られてくる計測データに対応する印刷データ（例えばＪＰＥＧデータ）をダイレクトにプリンタ３に転送して印刷することができる。
【００３０】
このように、この計測器用インターフェース装置を計測器に接続することによって、この計測器用インターフェース装置はカメラダイレクトインターフェースを備えているので、印刷装置に応じたプリンタドライバを備えることなく、カメラダイレクトに対応する印刷装置であれば、どのようなプリンタであっても計測器の計測結果を出力するための印刷装置として使用することができるようになる。この場合、印刷装置の仕様変更が生じても、カメラダイレクトに対応する印刷装置であれば使用することができ、将来的な印刷装置の変更にも対応することができる。
【００３１】
そして、外付け構成の計測器用インターフェース装置とすることで、この計測器用インターフェース装置を接続できる計測器には汎用的に使用することができるようになり、計測器の構成の簡素化、コストの低減を図ることができる。
【００３２】
なお、この計測器用インターフェース装置では、計測器の制御部から印刷情報を受け取るようにしているが、計測器からの計測情報を受け取って内部の制御部で印刷情報を作成するようにすることもできる。
【図面の簡単な説明】
【００３３】
【図１】本発明に係る計測器の機能ブロック説明図である。
【図２（Ａ）】同計測器の使用状態の説明に供する説明図である。
【図２（Ｂ）】同計測器の他の使用状態の説明に供する説明図である。
【図３】本発明に係る計測器用インターフェース装置の機能ブロック説明図である。
【図４】一般的な計測器の機能ブロック説明図である。
【図５】同計測器の使用状態の説明に供する説明図である。
【符号の説明】
【００３４】
１  …計測器
２  …ホスト装置
３  …印刷装置（プリンタ）
１１…計測部
１２…制御部（印刷情報作成手段を含む）
１３…インターフェース部
１４…ＵＳＢデバイス
１５…カメラダイレクトインターフェース
２１…計測器
２３…計測器用インターフェース装置
【図１】
2005119156.tif 000003
【図２（Ａ）】
2005119156.tif 000004
【図２（Ｂ）】
2005119156.tif 000005
【図３】
2005119156.tif 000006
【図４】
2005119156.tif 000007
【図５】
2005119156.tif 000008